(57)【要約】【課題】介護用浴槽において、扉部と本体部との間の水密性を向上する。【解決手段】介護用浴槽１の扉部３では、前面部３１の下端および一対の第２側面部３２の下端が略コの字を形成しており、扉部３により本体部２の側部開口が閉鎖された状態では、扉部３のコの字状の下端が、本体部２の底面部の上面に水密に当接する。扉部３の下端には、当該下端から略垂直に突出する凸部が連続的に形成されている。また、本体部２では、底面部の上面に、扉部３の凸部と嵌合するコの字状の凹部が形成されている。底面部の凹部内には弾性を有するシール材が設けられている。介護用浴槽１では、扉部３の自重により扉部３の下端を底面部に強く当接させつつ扉部３を本体部２に取り付けることができる。その結果、入浴時に高い水圧が加わる底面部近傍における扉部３と本体部２との間の水密性を向上することができる。【選択図】図１
2008086579.tif 000002
【特許請求の範囲】
【請求項１】
介護用浴槽であって、
側部開口を有する本体部と、
前記本体部の前記側部開口に開閉自在に取り付けられる扉部と、
を備え、
前記本体部が、
底面部と、
前記底面部から上方へと広がるとともに互いに対向する一対の第１側面部と、
前記一対の第１側面部の一方の側端の間を塞ぐ後面部と、
を備え、
前記扉部が、
前記一対の第１側面部の前記後面部とは反対側の側端である開閉端から離れた位置にて前記後面部に対向する前面部と、
前記前面部の両側側から前記開閉端に向かって突出する一対の第２側面部と、
を備え、
前記前面部の下端および前記一対の第２側面部の下端が略コの字を形成するとともに前記底面部の上面に水密に当接し、前記一対の第２側面部の前記開閉端に対向する側端も前記底面部の前記上面から連続的に前記開閉端に水密に当接することを特徴とする介護用浴槽。
【請求項２】
請求項１に記載の介護用浴槽であって、
前記扉部および前記本体部の一方が、前記扉部と前記本体部との間の境界に沿って連続的に形成された凸部を備え、前記扉部および前記本体部の他方が、前記境界に沿って連続的に形成されるとともに前記凸部と嵌合する凹部を備え、前記凹部内に弾性を有するシール材が設けられることを特徴とする介護用浴槽。
【請求項３】
請求項１または２に記載の介護用浴槽であって、
前記前面部の前記下端がヒンジを介して前記底面部に取り付けられており、
前記扉部が、前記ヒンジを中心として前記後面部から離れる方向に回転して上端を接地させることにより、前記前面部が、外部から前記本体部内の前記底面部に至るスロープとなることを特徴とする介護用浴槽。
【請求項４】
請求項１ないし３のいずれかに記載の介護用浴槽であって、
前記本体部および前記扉部が木製であることを特徴とする介護用浴槽。
【発明の詳細な説明】
【技術分野】
【０００１】
本発明は、介護用浴槽に関する。
【背景技術】
【０００２】
従来より、高齢者や身体障害者等の入浴に利用される様々な浴槽が開発されており、その１つとして、入浴者が車椅子に座った状態のまま浴槽内に入ることができる浴槽が提案されている。
【０００３】
例えば、特許文献１ないし特許文献４では、浴槽の１つの側壁の下端部が浴槽底部にヒンジ等により固定されており、この可倒側壁を外側に倒すことにより形成された側部開口から車椅子を出し入れすることができる介護用浴槽が開示されている。特許文献１の介護用浴槽では、プラスチック製の可倒側壁の内側面（すなわち、浴槽内部を向く側面）において、浴槽の底部の端面および２つの側壁の端面と接する部位にパッキンを設けることにより浴槽の水密性が保たれる。
【０００４】
特許文献２の浴槽では、可倒側壁である開閉扉を、開閉用のシリンダにより自動的に閉鎖し、シールパッキンを介して開閉扉を浴槽本体の前面に押圧することにより、当該浴槽が水密とされる。また、特許文献３および特許文献４の介護用浴槽では、ターポリン等の不透液性のシート部材により形成された温水貯溜用の内袋を浴槽ケース内に装着することにより介護用浴槽の水密性が保たれる。
【特許文献１】実用新案登録第３０６５０８４号公報
【特許文献２】特開２０００−１９７６７９号公報
【特許文献３】特開２００５−２０５００３号公報
【特許文献４】特開２００５−３１２７３０号公報
【発明の開示】
【発明が解決しようとする課題】
【０００５】
ところで、特許文献１および特許文献２の浴槽では、１枚の平板状の可倒側壁の内側面上に浴槽本体との当接部が設けられるため、可倒側壁を浴槽本体に固定するための可倒側壁に垂直な方向の力のみにより、可倒側壁と浴槽本体との境界に加わる水圧を支持し、当該境界の水密性を維持する必要がある。しかしながら、浴槽の底部近傍では水圧が高くなるため、可倒側壁と浴槽本体との間の水密性が不足してしまう恐れがある。
【０００６】
特許文献３および特許文献４の介護用浴槽では、浴槽ケース内に内袋を装着する必要があるため、浴槽の構造が複雑になってしまう。また、入浴者が浴槽に入出する際には、解放された前扉上に内袋の一部が広がっており、当該内袋上を車椅子が移動することになるため、内袋が摩耗したり損傷して水密性を保てなくなってしまう恐れがある。
【０００７】
本発明は、上記課題に鑑みなされたものであり、介護用浴槽において、扉部と本体部との間の水密性を向上することを目的としている。
【課題を解決するための手段】
【０００８】
請求項１に記載の発明は、介護用浴槽であって、側部開口を有する本体部と、前記本体部の前記側部開口に開閉自在に取り付けられる扉部とを備え、前記本体部が、底面部と、前記底面部から上方へと広がるとともに互いに対向する一対の第１側面部と、前記一対の第１側面部の一方の側端の間を塞ぐ後面部とを備え、前記扉部が、前記一対の第１側面部の前記後面部とは反対側の側端である開閉端から離れた位置にて前記後面部に対向する前面部と、前記前面部の両側側から前記開閉端に向かって突出する一対の第２側面部とを備え、前記前面部の下端および前記一対の第２側面部の下端が略コの字を形成するとともに前記底面部の上面に水密に当接し、前記一対の第２側面部の前記開閉端に対向する側端も前記底面部の前記上面から連続的に前記開閉端に水密に当接する。
【０００９】
請求項２に記載の発明は、請求項１に記載の介護用浴槽であって、前記扉部および前記本体部の一方が、前記扉部と前記本体部との間の境界に沿って連続的に形成された凸部を備え、前記扉部および前記本体部の他方が、前記境界に沿って連続的に形成されるとともに前記凸部と嵌合する凹部を備え、前記凹部内に弾性を有するシール材が設けられる。
【００１０】
請求項３に記載の発明は、請求項１または２に記載の介護用浴槽であって、前記前面部の前記下端がヒンジを介して前記底面部に取り付けられており、前記扉部が、前記ヒンジを中心として前記後面部から離れる方向に回転して上端を接地させることにより、前記前面部が、外部から前記本体部内の前記底面部に至るスロープとなる。
【００１１】
請求項４に記載の発明は、請求項１ないし３のいずれかに記載の介護用浴槽であって、前記本体部および前記扉部が木製である。
【発明の効果】
【００１２】
本発明では、扉部と本体部との間の水密性を向上することができる。請求項２の発明では、扉部と本体部との間の水密性をより向上することができる。請求項３の発明では、扉部を容易に開閉することができるとともに浴槽への入出を容易とすることができる。
【発明を実施するための最良の形態】
【００１３】
図１は、本発明の第１の実施の形態に係る介護用浴槽１を示す斜視図である。介護用浴槽１は、上部に開口を有する略直方体状であり、車椅子の使用者の入浴に利用される。図１に示すように、介護用浴槽１は、本体部２、および、本体部２に開閉自在に取り付けられる扉部３を備える。本実施の形態では、本体部２および扉部３は木製（好ましくは、檜製）とされる。
【００１４】
図２は、本体部２を示す斜視図である。図２に示すように、本体部２は、矩形板状の底面部２１、底面部２１のエッジから底面部２１に略垂直に上方へと広がるとともに互いに対向する一対の第１側面部２２、当該一対の第１側面部２２の一方の側端（すなわち、扉部３とは反対側の側端）の間を塞ぐ後面部２３、および、底面部２１のエッジに沿って下面上に設けられた脚部２４（いわゆる、桟木）を備える。
【００１５】
底面部２１は、３枚の１２ｍｍ厚の板状部材を重ねて接着した積層材により形成されており、各板状部材の繊維方向は、当接している他の板状部材の繊維方向に対して垂直とされる。これにより、底面部２１の強度を向上することができる。また、脚部２４には図示省略のアジャスターが埋め込まれており、本体部２の傾きを調整することができる。
【００１６】
本体部２では、第１側面部２２の後面部２３とは反対側に側部開口２０が形成されており、当該側部開口２０に図１に示す扉部３がヒンジ３３を介して取り付けられる。扉部３は、一対の第１側面部２２の後面部２３とは反対側の側端である開閉端２２１（図２参照）から離れた位置にて後面部２３に対向する前面部３１、および、前面部３１の両側端から第１側面部２２の開閉端２２１に向かって突出する一対の第２側面部３２を備える。
【００１７】
介護用浴槽１では、扉部３の前面部３１の下端がヒンジ３３を介して本体部２の底面部２１（図２参照）に取り付けられており、扉部３がヒンジ３３を中心として本体部２の後面部２３から離れる方向に回転することにより、図３の右側面図および図４の平面図（ただし、左右を図３に合わせている。図５においても同様。）に示すように、本体部２の側部開口２０が開放される。また、図３に示す扉部３がヒンジ３３を中心として後面部２３に近づく方向に回転して二点鎖線にて示す位置に移動することにより、図１に示すように、扉部３の下端および側端が本体部２に当接し、側部開口２０（図２参照）が閉鎖される。
【００１８】
図５は、扉部３を示す底面図である。図５に示すように、扉部３では、前面部３１の下端（面）および一対の第２側面部３２の下端（面）が略コの字を形成しており、図１に示すように、扉部３により本体部２の側部開口２０（図２参照）が閉鎖された状態では、扉部３のコの字状の下端３０１が、本体部２の底面部２１の上面２１１（図２参照）に水密に当接する。図３ないし図５に示すように、扉部３の下端３０１には、当該下端３０１から略垂直に突出する凸部３４１が連続的に形成されている。また、本体部２では、図２および図４に示すように、底面部２１の上面２１１に、扉部３の凸部３４１（図５参照）と嵌合するコの字状の凹部２５１が形成されている。
【００１９】
図６は、前面部３１および底面部２１を前面部３１に垂直な面で切断した縦断面の一部を示す図である。図６では、図の理解を容易にするために、前面部３１と底面部２１とを分解して描いている。図６に示すように、底面部２１の凹部２５１内には弾性を有するシール材２６（本実施の形態では、ネオプレンゴム（「ネオプレン」は登録商標））が設けられており、扉部３の凸部３４１が凹部２５１に嵌合した状態では、シール材２６は凸部３４１により押圧されて変形し、凸部３４１および凹部２５１に密着する。
【００２０】
また、図１に示すように、扉部３により本体部２の側部開口２０（図２参照）が閉鎖された状態では、図３に示す一対の第２側面部３２の前面部３１とは反対側の側端３２１（すなわち、図２に示す一対の第１側面部２２の開閉端２２１に対向する側端）も、底面部２１の上面２１１から連続的に一対の第１側面部２２の開閉端２２１に水密に当接する。これにより、介護用浴槽１の前面部３１と後面部２３とを接続する一対の側面部が形成される。
【００２１】
図３および図４に示すように、扉部３の各第２側面部３２の側端３２１には、当該側端３２１から略垂直に突出する凸部３４２が、凸部３４１と連続して形成されており、当該凸部３４２の上端は第２側面部３２のほぼ上端まで達している。また、本体部２では、図２に示すように、一対の第１側面部２２の開閉端２２１に、扉部３の凸部３４２（図３および図４参照）と嵌合する直線状の凹部２５２が形成されている。凹部２５２内にも、凹部２５１と同様に、弾性を有するシール材２６（図６参照）が設けられている。
【００２２】
換言すれば、介護用浴槽１では、扉部３が、扉部３と本体部２との間の境界に沿って連続的に形成された凸部３４（すなわち、凸部３４１および凸部３４２）を備え、本体部２が、当該境界に沿って連続的に形成されるとともに凸部３４と嵌合する凹部２５（すなわち、凹部２５１および凹部２５２）を備え、当該凹部２５内にはシール材２６が設けられる。
【００２３】
入浴者が介護用浴槽１を使用する際には、まず、図１に示す空の状態の浴槽の扉部３が、ヒンジ３３を中心として後面部２３から離れる方向に回転して上端を接地させることにより、図３に示すように、本体部２の側部開口２０が開放されるとともに、前面部３１が外部から本体部２内の底面部２１に至るスロープとなる。入浴者は、車椅子に乗った状態で当該スロープ（すなわち、前面部３１）上を通過し、側部開口２０から本体部２内に入る。
【００２４】
続いて、扉部３が、ヒンジ３３を中心として後面部２３に近づく方向に回転して立ち上げられ、扉部３の凸部３４が本体部２の凹部２５（図２参照）に嵌合されることにより、扉部３の下端３０１が本体部２の底面部２１の上面２１１に水密に当接し、扉部３の第２側面部３２の側端３２１が本体部２の第１側面部２２の開閉端２２１に水密に当接する。そして、この状態で、各第２側面部３２の外側面に設けられた複数のフック３２２が、各第１側面部２２の外側面に設けられた留め具２２２に装着される。
【００２５】
次に、給湯器等により介護用浴槽１内に温水が供給され、介護用浴槽１内に温水が貯溜される。これにより、入浴者は車椅子に乗った状態で入浴することができる。入浴が終了すると、本体部２の底面部２１に設けられた排水栓２１２（図４参照）が開放されて介護用浴槽１内の温水が排水された後、フック３２２が留め具２２２から外されて扉部３が開放される。そして、入浴者が、本体部２の側部開口２０、および、本体部２内から外部へと至るスロープとなっている前面部３１上を通過して介護用浴槽１から出ることにより、介護用浴槽１を利用した入浴が終了する。
【００２６】
以上に説明したように、介護用浴槽１では、扉部３のコの字状の下端３０１が本体部２の底面部２１の上面２１１に当接することにより、扉部３の自重により扉部３の下端３０１を底面部２１に強く当接させつつ扉部３を本体部２に取り付けることができる。その結果、入浴時に高い水圧が加わる底面部２１近傍における扉部３と本体部２との間の水密性を向上することができる。また、前面部３１の両側端に第２側面部３２を設けることにより、平板状の前面部のみにて扉部を構成する場合と比べて、扉部３の強度を向上することができる。
【００２７】
介護用浴槽１では、扉部３および本体部２が、扉部３と本体部２との境界に沿って連続的に形成されるとともに互いに嵌合する凸部３４および凹部２５を備え、凹部２５内に弾性を有するシール材２６が設けられる。扉部３が閉鎖される際には、扉部３と本体部２との境界において、シール材２６が凸部３４および凹部２５に密着するため、扉部３と本体部２との間の水密性をより向上することができる。
【００２８】
また、扉部３の下端３０１がヒンジ３３を介して本体部２に取り付けられており、扉部３が開放された際に車椅子搬出入用のスロープとなることにより、扉部３を容易に開閉することができるとともに、車椅子による介護用浴槽１への入出を容易とすることができる。
【００２９】
上述のように、扉部３は、前面部３１および一対の第２側面部３２を備えることにより高い強度を有しているため、前面部３１をスロープとして使用する際に、車椅子を確実に支持することができる。また、一対の第２側面部３２がいわゆるガードの役割を果たすため、車椅子がスロープである前面部３１から転落することを防止して本体部２内に安全に入出させることができる。
【００３０】
介護用浴槽１では、本体部２および扉部３を木製とすることにより、肌触りや香り等により入浴者をリラックスさせて使用感を向上することができる。また、入浴者の体格等に合わせて様々な大きさの浴槽を容易に製造することができる。通常、木製の浴槽では、前面部および後面部と側面部との境界に高い強度が要求される。介護用浴槽１では、上述のように、扉部３において前面部３１と第２側面部３２との境界が固定されているため、平板状の前面部のみにて扉部を構成して当該扉部を側面部に取り付ける場合と比べて、前面部３１と第２側面部３２との境界の強度を向上することができる。したがって、介護用浴槽１の構造は、木製の浴槽に特に適した構造であるといえる。
【００３１】
次に、本発明の第２の実施の形態に係る介護用浴槽について説明する。図７は、第２の実施の形態に係る介護用浴槽１ａを示す斜視図である。図７に示すように、介護用浴槽１ａは、第１の実施の形態と同様に、本体部２および扉部３を備える。介護用浴槽１ａでは、扉部３の本体部２への取り付け方法が異なる点を除き、その他の構成は図１ないし図６と同様であり、以下の説明において同符号を付す。
【００３２】
介護用浴槽１ａでは、扉部３が本体部２に対して着脱自在に取り付けられており、図８に示すように、扉部３が本体部２から独立して分離することにより、本体部２の側部開口２０が開放される。また、扉部３が本体部２に取り付けられる際には、図７に示すように、一対の第２側面部３２および前面部３１の外側面に設けられた複数のフック３２２が、一対の第１側面部２２の外側面および底面部２１の側端面に設けられた留め具２２２に装着される。介護用浴槽１ａへの車椅子の入出時には、必要に応じて、図８に示す側部開口２０を介して本体部２内の底面部２１に至るスロープが設置される。
【００３３】
介護用浴槽１ａでは、第１の実施の形態と同様に、扉部３のコの字状の下端３０１（図５参照）が本体部２の底面部２１の上面２１１に当接することにより、入浴時に高い水圧が加わる底面部２１近傍における扉部３と本体部２との間の水密性を向上することができる。また、前面部３１の両側端に第２側面部３２を設けることにより、扉部３の強度を向上することができる。
【００３４】
介護用浴槽１ａでは、第１の実施の形態と同様に、扉部３および本体部２が互いに嵌合する凸部３４（図３参照）および凹部２５を備え、凹部２５内に弾性を有するシール材２６（図６参照）が設けられることにより、扉部３と本体部２との間の水密性をより向上することができる。
【００３５】
以上、本発明の実施の形態について説明してきたが、本発明は上記実施の形態に限定されるものではなく、様々な変更が可能である。
【００３６】
例えば、上記実施の形態に係る介護用浴槽では、扉部３の下端３０１および側端３２１に凸部３４が形成されており、本体部２の底面部２１の上面２１１および第１側面部２２の開閉端２２１に凹部２５が形成されているが、本体部２に凸部が形成され、扉部３に当該凸部と嵌合するとともに内部にシール材２６が設けられた凹部が形成されてもよい。すなわち、介護用浴槽では、扉部３および本体部２の一方が、扉部３と本体部２との間の境界に沿って連続的に形成された凸部を備え、扉部３および本体部２の他方が、当該境界に沿って連続的に形成されるとともに上記凸部と嵌合する凹部を備えていればよい。
【００３７】
上記介護用浴槽では、図９に示すように、扉部３の下端３０１に互いに平行な２つの凸部３４１が形成され、本体部２の底面部２１の上面２１１に当該２つの凸部３４１と嵌合する２つの凹部２５１が形成されてもよい。凸部３４１および凹部２５１の個数はそれぞれ、３つ以上とされてもよい。また、扉部３の側端、および、本体部２の第１側面部の開閉端においても同様に、２つ以上の凸部および凹部が形成されてもよい。
【００３８】
第１の実施の形態に係る介護用浴槽１では、前面部３１の後面部２３と対向する面（すなわち、扉部３が開放された状態におけるスロープの上面）に、車椅子の車輪を案内するガイドが設けられてもよい。また、底面部２１にも、当該ガイドに連続するガイドが設けられてもよい。
【００３９】
本体部２および扉部３は、必ずしも木製である必要はなく、例えば、ＦＲＰ等の樹脂や金属により形成されてもよい。
【図面の簡単な説明】
【００４０】
【図１】第１の実施の形態に係る介護用浴槽の斜視図である。
【図２】本体部の斜視図である。
【図３】介護用浴槽の右側面図である。
【図４】介護用浴槽の平面図である。
【図５】扉部の底面図である。
【図６】前面部および底面部の一部を示す断面図である。
【図７】第２の実施の形態に係る介護用浴槽の斜視図である。
【図８】介護用浴槽の斜視図である。
【図９】扉部および底面部の他の例を示す断面図である。
【符号の説明】
【００４１】
１，１ａ    介護用浴槽
２    本体部
３    扉部
２０    側部開口
２１    底面部
２２    第１側面部
２３    後面部
２５    凹部
２６    シール材
３１    前面部
３２    第２側面部
３３    ヒンジ
３４    凸部
２１１    上面
２２１    開閉端
２５１    凹部
２５２    凹部
３０１    下端
３２１    側端
３４１    凸部
３４２    凸部
【図１】
2008086579.tif 000003
【図２】
2008086579.tif 000004
【図３】
2008086579.tif 000005
【図４】
2008086579.tif 000006
【図５】
2008086579.tif 000007
【図６】
2008086579.tif 000008
【図７】
2008086579.tif 000009
【図８】
2008086579.tif 000010
【図９】
2008086579.tif 000011